(57)【要約】【課題】回動軸回りのスペースを小さく抑えながら、ベッド本体を閉方向駆動機構によって閉方向へ常時付勢する。【解決手段】折り畳み自在ベッドはベースと、ベースに回動部を介して回動自在に配置され、開状態と閉状態とをとることができるベッド本体と、ベッド本体の下面に回動自在に設けられ、ベッド本体の回動に合わせて開位置と閉位置との間で回動する脚パイプと、回動部に設けられ、ベッド本体を閉方向へ回転させるための閉方向駆動機構とを備えている。閉方向駆動機構は一端が回動部の回動軸回りに回動してベッド本体に閉方向への回転力を伝達する従動リンクと、一端がベースに回動自在に取付けられた駆動リンクと、駆動リンクの他端とベースとの間に連結された閉方向駆動スプリングと、従動リンクの他端と駆動リンクの作用点とを連結する伝達リンクとを有する。【選択図】図９
2014150879.tif 000002
【特許請求の範囲】
【請求項１】
折り畳み自在ベッドにおいて、
ベースと、
ベースに回動部を介して回動自在に配置され、開状態と閉状態とをとることができるベッド本体と、
ベッド本体の下面に回動自在に設けられ、ベッド本体の回動に合わせて開位置と閉位置との間で回動する脚パイプと、
回動部に設けられ、ベッド本体を閉方向へ回転させるための閉方向駆動機構とを備え、
閉方向駆動機構は一端が回動部の回動軸回りに回動してベッド本体に閉方向への回転力を伝達する従動リンクと、一端がベースに回動自在に取付けられた駆動リンクと、駆動リンクの他端とベースとの間に連結された閉方向駆動スプリングと、従動リンクの他端と駆動リンクの作用点とを連結する伝達リンクとを有することを特徴とする折り畳み自在ベッド。
【請求項２】
駆動リンクの一端から作用点までの距離ｌ１と、駆動リンクの一端から他端までの距離ｌ２との比は、１：２〜１：５となっていることを特徴とする請求項１記載の折り畳み自在ベッド。
【発明の詳細な説明】
【技術分野】
【０００１】
本発明は、身体障害者または高齢者等の利用者が利用する折り畳み自在ベッドに関する。
【背景技術】
【０００２】
従来、身体障害者または高齢者等の利用者が利用する折り畳みベッドとして、ベースと、ベースに対して回動自在に配置され開状態と閉状態とをとることができるベッド本体と、ベッド本体の下面に回動自在に設けられた脚パイプとを有するものが知られている。
【０００３】
このような折り畳みベッドにおいて、利用者が利用する場合、ベースに対してベッド本体を回動させて開状態までもってくる。この時、ベッド本体の下面に設けられた脚パイプも開位置まで回動し、脚パイプとベースによってベッド本体を支持する。
【０００４】
利用者による折り畳みベッドの利用が終了すると、ベッド本体はベースに対して回動して垂直方向を向く閉状態となり、同時に脚パイプもベッド本体に対して閉位置に折り畳まれる。
【０００５】
このようにして、垂直方向に折り畳まれた折り畳み自在ベッドは、室内の壁側に立て掛けられて配置され、折り畳み自在ベッドの設置スペースを最小限となるよう抑えている。
【０００６】
また、ベッド本体の回動軸回りのスペースを小さく抑えながら、ベッド本体を閉方向駆動機構により、閉方向へ常時付勢することにより、ベッド本体を閉方向へ容易に回動することも望まれている。
【先行技術文献】
【特許文献】
【０００７】
【特許文献１】特開２００３−２５０６６３号公報
【特許文献２】特開２００１−３１４２８３号公報
【特許文献３】特開２００３−２５０８４０号公報
【発明の概要】
【発明が解決しようとする課題】
【０００８】
本発明はこのような点を考慮してなされたものであり、ベッド本体の回動軸回りのスペースを小さく抑えながら、ベッド本体を閉方向駆動機構により常時付勢することができる折り畳み自在ベッドを提供することを目的とする。
【課題を解決するための手段】
【０００９】
本発明は、折り畳み自在ベッドにおいて、ベースと、ベースに回動部を介して回動自在に配置され、開状態と閉状態とをとることができるベッド本体と、ベッド本体の下面に回動自在に設けられ、ベッド本体の回動に合わせて開位置と閉位置との間で回動する脚パイプと、回動部に設けられ、ベッド本体を閉方向へ回転させるための閉方向駆動機構とを備え、閉方向駆動機構は一端が回動部の回動軸回りに回動してベッド本体に閉方向への回転力を伝達する従動リンクと、一端がベースに回動自在に取付けられた駆動リンクと、駆動リンクの他端とベースとの間に連結された閉方向駆動スプリングと、従動リンクの他端と駆動リンクの作用点とを連結する伝達リンクとを有することを特徴とする折り畳み自在ベッドである。
【００１０】
本発明は、駆動リンクの一端から作用点までの距離ｌ１と、駆動リンクの一端から他端までの距離ｌ２との比は、１：２〜１：５となっていることを特徴とする折り畳み自在ベッドである。
【発明の効果】
【００１１】
以上のように本発明によれば、回動軸回りのスペースを小さく抑えながら、ベッド本体を閉方向駆動機構により閉方向へ常時付勢することができる。
【図面の簡単な説明】
【００１２】
【図１】図１（ａ）（ｂ）は本発明による折り畳み自在ベッドであって開状態にある折り畳み自在ベッドを示す正面図および側面図。
【図２】図２（ａ）（ｂ）は閉状態の折り畳み自在ベッドを示す正面図および側面図。
【図３】図３は開状態の折り畳み自在ベッドを示す平面図。
【図４】図４は閉状態の折り畳み自在ベッドを示す平面図。
【図５】図５は折り畳み自在ベッドの内部構造を示す図。
【図６】図６は折り畳み自在ベッドの内部構造を示す概略図。
【図７】図７はガード用レールとガードを示す詳細図。
【図８】図８はガード用レールに係合するガードを示す図７のＡ−Ａ線断面図。
【図９】図９は閉状態の折り畳み自在ベッドの内部構造を示す側面図。
【図１０】図１０は開状態の折り畳み自在ベッドの内部構造を示す側面図。
【図１１】図１１は閉状態の折り畳み自在ベッドの回動部を示す図。
【図１２】図１２は開状態の折り畳み自在ベッドの回動部を示す図。
【発明を実施するための形態】
【００１３】
以下、図面を参照して本発明の実施の形態について説明する。
【００１４】
図１乃至図１２は本発明による折り畳み自在ベッドの一実施の形態を示す図である。ここで図１（ａ）（ｂ）は開状態の折り畳み自在ベッドを示す正面図および側面図、図２（ａ）（ｂ）は閉状態の折り畳み自在ベッドを示す正面図および側面図、図３は開状態の折り畳み自在ベッドを示す平面図、図４は閉状態の折り畳み自在ベッドを示す平面図、図５は折り畳み自在ベッドの内部構造を示す図、図６は折り畳み自在ベッドの内部構造を示す概略図、図７はガード用レールとガードを示す詳細図、図８はガード用レールに係合するガードを示す図７のＡ−Ａ線断面図、図９は閉状態の折り畳み自在ベッドの内部構造を示す側面図、図１０は開状態の折り畳み自在ベッドの内部構造を示す側面図、図１１および図１２は折り畳み自在ベッドの回動部を示す詳細図である。
【００１５】
図１乃至図８に示すように、身体障害者または高齢者等の利用者が利用する折り畳み自在ベッド１０はベース１２と、ベース１２に対して回動部１３を介して回動自在に配置され開状態と閉状態をとることができるベッド本体１１と、ベッド本体１１の下面に回動自在に設けられベッド本体１１の回動に合わせて開位置と閉位置との間で回動する脚パイプ１５とを備えている。
【００１６】
このうちベッド本体１１は、長方形状をなしており、ベッド本体１１はその側方端線がベース１２の回動部１３に連結されて回動するようになっている。
【００１７】
ベッド本体１１は、図５に示すように金属製パイプ材等からなるフレーム１８により基本骨格が構成され、このフレーム１８の裏面側には樹脂製プレート１９が設けられている。フレーム１８の表面側には、例えばベニヤ板を介して、ウレタン製のクッション材１７が支持される。クッション材１７は表皮レザーで覆われている。ベース１２は、金属製パイプ材あるいは板材等からなるフレーム１２ａにより基本骨格が構成される。
【００１８】
そしてベース１２の上方に回動部１３が設けられ、ベッド本体１１はその側方端縁が回動部１３に連結されて、回動部１３の回動軸１３ａ回りに回動するようになっている。
【００１９】
次にベッド本体１１の下面に設けられた脚パイプ１５について図６により説明する。上述のように脚パイプ１５はベッド本体１１の回動に合わせて開位置と閉位置との間を回動する。
【００２０】
ここで図６は、ベッド本体１１と脚パイプ１５とを連結する連結リング機構３０Ａを抽出して示している。図６に示すように、ベッド本体１１は回動部１３の回動軸１３ａ回りを回動して開状態と閉状態をとることができる。
【００２１】
図６において、ベッド本体１１は開状態をとり、脚パイプ１５も開位置をとっている。図６に示すようにベッド本体１１側には、ベッド本体１１の回動とともに回動軸１３ａを中心として回動する揺動リンク３０が設けられ、脚パイプ１５には脚パイプ１５の基端側に脚パイプ１５を回動させる回動パイプ３２が連結されている。この回動パイプ３２はベッド本体１１に、回動軸３２ａ回りに回動するよう取付けられており、回動パイプ３２は揺動リンク３０の揺動端部（回動軸１３ａと反対側の端部）に駆動リンク３１を介して連結されている。
【００２２】
このためベッド本体１１が図６に示す開状態から閉状態に向かって回動軸１３ａ回りに矢印Ｌ１方向に回動すると、ベッド本体１１の回動に伴って揺動リンク３０も矢印Ｌ１方向に回動軸３０ｂ回りに回動する。この揺動リンク３０の矢印Ｌ１方向への回動により、揺動リンク３０の揺動端部（回動軸１３ａと反対側端部）に連結軸３０ａを介して取付けられた駆動リンク３１が矢印Ｌ２方向に回動軸３２ａ回りに回動し、同時に回動パイプ３２が矢印Ｌ２方向に回動する。なお、揺動リンク３０の回動軸３０ｂは、ベッド本体１１の回動部１３の回動軸１３ａに対してわずかに偏心している。
【００２３】
このように回動パイプ３２が矢印Ｌ２方向に回動することによって、脚パイプ１５もベッド本体１１に対して矢印Ｌ２方向に回動してベッド本体１１に対して折り畳まれた閉位置をとる。そして揺動リンク３０、駆動リンク３１および回動パイプ３２によって、ベッド本体１１と脚パイプ１５とを連結する連結リンク３０Ａが構成されている。
【００２４】
ところで、ベッド本体１１下面のうちベース１２および回動部１３と反対側の部分には、円弧状のガード用レール２５が設けられ、このガード用レール２５に沿ってガード用レール２５と同様に円弧状に形成されたガード２０が摺動自在に設けられている。
【００２５】
このうちガード２０は折り畳み自在ベッド１０の利用者がベッド本体１１上に寝た場合、ベッド本体１１上から転落することを防止するものであり、ベッド本体１１がベース１２に対して回動して開状態となった場合、ガード２０はガード用レール２５に沿って摺動してガード用レール２５上方へ突出して開位置をとる（図１（ａ）（ｂ）の破線参照）。
【００２６】
他方、ベッド本体１１がベース１２に対して回動して垂直方向を向く閉状態となった場合、ガード２０はガード用レール２５に沿って摺動して、ガード用レール２５内へ収まる閉位置をとる（図２（ａ）（ｂ））。
【００２７】
なお、図２（ｂ）において、ベッド本体１１がベース１２に対して回動して閉状態となった場合、ガード２０がガード用レール２５内へ収まらないと、ガード２０へ折り畳み自在ベッド１０から側方へ突出してしまう状態を一点鎖線で示す。
【００２８】
次にガード２０およびガード用レール２５について図５乃至図８により更に詳述する。
【００２９】
図５乃至図８に示すように、ガード２０は円弧状のガード本体２１と、ガード本体２１の下方端部に固着されたガードブラケット２２とを有し、ガードブラケット２２には樹脂製受部２２ｂが内蔵されている。
【００３０】
そして、ガードブラケット２２の樹脂製受部２２ｂがガード用レール２５に係合することにより、ガード２０がガード用レール２５に沿って摺動するようになっている。
【００３１】
またガード２０のガードブラケット２２には係止片２２ａが設けられ、ベッド本体１１側のガード用レール２５にはガードブラケット２２の係止片２２ａに係合する係止爪３７を有する係止レバー３５が設けられている。
【００３２】
すなわち、ガード用レール２５に設けられた係止レバー３５は、係止レバー本体３５ａと、係止レバー本体３５ａの両端に固着され係止レバー本体３５ａを回動させる操作部３５ｂとを有している。また係止レバー本体３５ａに係止爪３７が固着され、ガード２０が開位置にある場合、ガードブラケット２２の係止片２２ａに係止レバー３５の係止爪３７が係合してガード２０を固定する。
【００３３】
ところで図７に示すように、ガードブラケット２２は布製の駆動バンド４０が取付けられた駆動部４０ａを有し、この駆動バンド４０はベッド本体１１にガード用スプリング４１を介して連結されている。
【００３４】
このためガード２０はこのガード用スプリング４１によって常時閉方向（図７の矢印Ｌ３方向）に向かって付勢されている。
【００３５】
ここで図７はガード２０が開位置にある状態を示している。
【００３６】
また係止レバー３５は上述のように、係止レバー本体３５ａの両端に設けられた操作部３５ｂを有し、この操作部３５ｂを操作して係止レバー３５を図７の矢印Ｌ４方向に回動することにより、係止爪３７がガードブラケット２２側の係止片２２ａから解除される。このとき、ガード２０はガード用スプリング４１によって矢印Ｌ３方向へガード用レール２５に沿って摺動し、ガード２０がガード用レール２５内に収まる閉位置をとる。
【００３７】
なお、係止レバー３５の係止レバー本体３５ａ回りには係止レバー用スプリング３６が巻付けられている。この係止レバー用スプリング３６は、係止レバー３５を図７の矢印Ｌ４方向と反対の方向に付勢して、係止レバー３５の係止爪３７をガードブラケット２２側の係止片２２ａに係止させるように作用する。
【００３８】
すなわち、ガード２０を図７において開方向へ摺動させた場合、係止レバー用スプリング３６によって係止方向へ常時付勢される係止レバー３５の係止爪３７がガードブラケット２２側の係止片２２ａに係合するようになっている。
【００３９】
また係止レバー３５の係止レバー本体３５ａには突起部３８が固着され、さらに脚パイプ１５には脚パイプ１５とともに回動軸３２ａ回りを回動する突起部１５ａが設けられ、これら係止レバー３５側の突起部３８と脚パイプ１５側の突起部１５ａは連結ワイヤ３９により互いに連結されている（図６および図７参照）。
【００４０】
ベッド本体１１を開状態とし、かつガード２０を開位置にもってきた状態からベッド本体１１をベース１２に対して回動させて閉状態までもってくると、ベッド本体１１と脚パイプ１５とを連結する連結リンク機構３０Ａによってベッド本体１１に対して脚パイプ１５も回動して脚パイプ１５は閉位置にくる。図７において、開位置にある脚パイプ１５を実線で示し、閉位置にある脚パイプ１５を二点鎖線で示す。このように脚パイプ１５が閉位置に向かって回動すると、突起部１５ａ，３８間に掛け渡された連結ワイヤ３９によって係止レバー３５が図７の矢印Ｌ４方向へ自動的に回動して係止レバー３５は解除方向へ向かう。
【００４１】
このことによって係止レバー３５の係止爪３７がガードブラケット２２側の係止片２２ａから解除され、ガード２０はガード用スプリング４１によってガード用レール２５に沿って摺動する。このようにして開状態にあるベッド本体１１を回動させて閉状態とすることにより、脚パイプ１５を回動させて閉位置にもってくることができる。同時にガード２０をガード用レール２５に沿って摺動させ、ガード用レール２５内に収まる閉位置にもってくることができる。
【００４２】
ところで、ベッド本体１１は上述のようにベース１２に設けられた回動部１３に回動自在に取付けられているが、この回動部１３にはベッド本体１１を閉方向へ容易に回動するための閉方向駆動機構５０が設けられている（図９乃至図１２参照）。
【００４３】
すなわち、図９乃至図１２に示すように、この閉方向駆動機構５０は回動部１３の回動軸１３ａ回りに回動してベッド本体１１に閉方向への回転力を伝達する従動リンク５１と、ベース１２側に設けられた駆動リンク５２と、駆動リンク５２と従動リンク５１とを連結する伝達リンク５３と、駆動リンク５２とベース１２の下方部とを連結する閉方向スプリング５４とを有している。
【００４４】
このうち従動リンク５１は、その一端５１ａが回動部１３の回動軸１３ａ回りに回動するようになっており、従動リンク５１の他端５１ｂが伝達リンク５３の上端に取付けられている。また伝達リンク５３はその長さを調節することができる。
【００４５】
また駆動リンク５２は、その一端５２ａがベース１２に回動自在に取付けられており、駆動リンク５２の他端５２ｂに閉方向駆動スプリング５４が取付けられている。また閉方向駆動スプリング５４の下端部５４ａはベース１２に固着されている。
【００４６】
また駆動リンク５２のうち、その一端５２ａと他端５２ｂとの間の中央位置（作用点）５２ｃに、伝達リンク５３の下端が取付けられている。さらに、駆動リンク５２の一端５２ａから中央位置５２ｃまでの間の距離ｌ１と、一端５２ａから他端５２ｂまでの距離ｌ２との比は１：２〜１：５となっている。
【００４７】
このため駆動リンク５２の他端５２ｂ側は伝達リンク５３から他方へ大きく張り出している。
【００４８】
図９乃至図１２において、駆動リンク５２の一端５２ａから中央位置５２ｃまでの距離ｌ１と、一端５２ａから他端５２ｂまでの距離ｌ２との比を１：２〜１：３としたことにより、閉方向駆動スプリング５４の力を大きく生かして駆動リンク５２を作動させることができ、このことによりベッド本体１１を常時閉方向に向かって駆動力を伝えることができる。このため、ベッド本体１１を容易にベース１２に対して回動させて閉位置へもってくることができる。
【００４９】
また、閉方向駆動スプリング５４に連結された駆動リンク５２を、ベッド本体１１の回動部１３から離れたベース１２側へもってくることによって、駆動リンク５２の他端５２ｂ側が側方へ大きく張り出しても、回動部１３回りに張り出した部分をなくすことができる。
【００５０】
すなわち、ベッド本体１１が開状態にあるとき（図１０および図１２参照）、回動部１３の側方に空スペースが存在するが、ベッド本体１１が閉状態にあると（図９および図１１参照）、回動部１３の右側にベッド本体が垂直方向に配置され同様に回動部１３の左側に脚パイプ１５が垂直方向に配置される。
【００５１】
この場合、回動部１３回りに駆動リンク５２の他端５２ｂのような張り出し部が存在すると、ベッド本体１１あるいは脚パイプ１５がこれらの駆動リンク５２の張り出し部に干渉してしまう。
【００５２】
これに対し本発明によれば、回動部１３回りに駆動リンク５２の他端５２ｂのような張り出し部が存在しないので、ベッド本体１１および脚パイプ１５を回動部１３回りにコンパクトに折り畳んで垂直方向に配置することができる。
【００５３】
次にこのような構成からなる本実施の形態の作用について説明する。
【００５４】
まず利用者が使用する際、利用者はベース１２に対して回動部１３を介して折り畳み自在ベッド１０のベッド本体１１を回動させてベッド本体１１を開状態とする。このとき、ベッド本体１１の回動に伴って、連結リンク機構３０Ａにより脚パイプ１５もベッド本体１１に対して回動して、脚パイプ１５が開位置にくる。このようにしてベッド本体１１はベース１２と脚パイプ１５により支持される。
【００５５】
次に利用者は、ベッド本体１１の側方端縁に設けられたガード２０をガード用レール２５から引出し、ガード用レール２５に沿って摺動させてガード２０を開位置へもってくる（図１（ａ）（ｂ）、図３および図５および図６の位置）。そして利用者はベッド本体１１上に寝ることができる。
【００５６】
このようにしてガード２０をベッド本体１１から上方へ突出することにより、ベッド本体１１上に寝る利用者を側方から保護することができる。このときガード２０の係止片２０ａが係止レバー３５の係止爪３７に係合して、ガード２０は開位置に保持される。
【００５７】
折り畳み自在ベッド１０の使用が終わった後、ベース１２に対してベッド本体１１を回動させ、ベッド本体１１を垂直方向を向く閉状態にもってくる。
【００５８】
このとき、ベッド本体１１の回動に伴って連結リンク機構３０Ａにより脚パイプ１５もベッド本体１１に対して回動して、脚パイプ１５が閉位置にくる。
【００５９】
このようにしてベース１２に対してベッド本体１１および脚パイプ１５を垂直方向に折り畳んだ状態で配置することができる（図２（ａ）（ｂ）および図４）。
【００６０】
ベッド本体１１が回動して脚パイプ１５が閉位置に向かう間、脚パイプ１５と係止レバー３５とを連結する連結ワイヤ３９によって係止レバー３５が解除方向（図７の矢印Ｌ４方向）に回動し、係止爪３７と係止片２２ａとの係合が解除される。
【００６１】
このとき、ガード用スプリング４１により閉方向へ付勢されていたガード２０が、ガード用レール２５に沿って摺動してガード用レール２５内に収納されて閉位置に達する。
【００６２】
このようにベッド本体１１をベース１２に対して回動させて閉状態にもってくることにより、ベッド本体１１に対して脚パイプ１５も回動して閉位置にくる。このことによりベッド本体１１および脚パイプ１５を垂直方向に折り畳むことができ、同時にガード２０をガード用レール２５内に収めて閉位置にもってくることができる。
【００６３】
この状態では、ガード用レール２５からガード２０Ａが突出することはなく（図２（ｂ）参照）、このため折り畳み自在ベッド１０の設置幅をきわめて小さく抑えることができる。このようにして、折り畳み自在ベッド１０は、室内の壁側に立て掛けられる。
【００６４】
また上述のように、ベッド本体１１は閉方向駆動機構５０によって常時閉方向へ付勢されており、わずかの力でベース１２に対してベッド本体１１を回動させて閉状態までもっていくことができる。
【００６５】
また、円弧状のガード用レール２５は上述のように、ベッド本体１１の下面のうちベース１２と反対側の部分に設けられている。このためベッド本体１１が閉状態となって円弧状のガード２０がガード用レール２５内に収まった場合、ガード２０もベッド本体１１の下面にコンパクトに収納されることになる（図２（ｂ）参照）。またベッド本体１１が開状態となった場合に、円弧状のガード２０がガード用レール２５を摺動してベッド本体１１から上方へ突出するので、ベッド本体１１上に寝る利用者を側方から確実に保護することができる。
【符号の説明】
【００６６】
１０  折り畳み自在ベッド
１１  ベッド本体
１２  ベース
１３  回動部
１３ａ  回動軸
１５  脚パイプ
１５ａ  突起部
２０  ガード
２１  ガード本体
２２  ガードブラケット
２２ａ  係止片
２２ｂ  樹脂製受部
２５  ガード用レール
３０  揺動リンク
３０Ａ  連結リンク機構
３１  駆動リンク
３２  回動パイプ
３５  係止レバー
３５ａ  係止レバー本体
３５ｂ  操作部
３６  係止レバー用スプリング
３７  係止爪
３８  突起部
３９  連結ワイヤ
４０  駆動バンド
４１  ガード用スプリング
５０  閉方向駆動機構
５１  従動リンク
５２  駆動リンク
５３  伝達リンク
５４  閉方向駆動スプリング
【図１】
2014150879.tif 000003
【図２】
2014150879.tif 000004
【図３】
2014150879.tif 000005
【図４】
2014150879.tif 000006
【図５】
2014150879.tif 000007
【図６】
2014150879.tif 000008
【図７】
2014150879.tif 000009
【図８】
2014150879.tif 000010
【図９】
2014150879.tif 000011
【図１０】
2014150879.tif 000012
【図１１】
2014150879.tif 000013
【図１２】
2014150879.tif 000014